Podtech/llm-jp-corpus-v4-ja_patent huggingface dataset:
(57)【要約】【課題】  ブリスターなどによる変形や劣化が生じ難い、ボルトで締め付けられる管継手またはマンホール蓋のフランジ部に使用されるパッキンを提供する。【解決手段】  フランジにある接合ボルト挿通孔の最外縁を結ぶ外接円の直径よりも小さく且つフランジにある接合ボルト挿通孔の最内縁を結ぶ内接円の直径よりも大きい外縁径を有する輪状平形パッキンであって、フランジにある接合ボルト挿通孔に対応する位置に接合ボルトを挿通可能な大きさの欠けが設けられている、パッキン。【選択図】図１
2009204138.tif 000002
【特許請求の範囲】
【請求項１】
フランジにある接合ボルト挿通孔の最外縁を結ぶ外接円の直径よりも小さく且つフランジにある接合ボルト挿通孔の最内縁を結ぶ内接円の直径よりも大きい外縁径を有する輪状平形パッキンであって、フランジにある接合ボルト挿通孔に対応する位置に接合ボルトを挿通可能な大きさの欠けが設けられている、パッキン。
【発明の詳細な説明】
【技術分野】
【０００１】
本発明は、パッキンに関する。より詳細には、本発明は、ボルトで締め付けられる管継手またはマンホール蓋のフランジ部に使用されるパッキンに関する。
【背景技術】
【０００２】
管継手としてフランジ継手が一般的に知られている。このフランジ継手は対面配置されたフランジ間に輪状パッキンを介挿し、両フランジを複数本の接合ボルトで締結し、パッキンを圧縮して管接続部の水密を保つようにされている。
また、マンホール蓋を閉じる部分にもフランジが使用されており、マンホール蓋とフランジを複数本の接合ボルトで締結し、パッキンを圧縮してマンホール蓋の水密を保つようにされている。
管継手では曲げ力が作用した場合に、フランジ継手の曲げ外方と曲げ内方で歪み量に差が生じ曲げ外方側のパッキンの圧縮力が低下し、流体が漏れ出ることがある。
流体の漏出の少ないパッキンとして、様々なものが提案されている。例えば、特許文献１には、ボルト挿通用の孔を有する平形パッキンであって、ボルト挿通用の孔の内周縁に金属製リングを埋設させたフランジ接続用パッキンが開示されている。特許文献２には、輪状パッキンの周方向に複数の硬質な圧縮制限片を、ボルト挿通用の孔の間に、離間して設けられたパッキン構造が提案されている。
また、特許文献３には、ボルト挿通用の孔が穿設された輪状パッキンであって、該パッキンの内周縁に周縁に沿って凸条が一体に成形されていて、フランジ面に当接するパッキン面の肉厚内にリング状の補強金属芯が同心状に埋入されてなるフランジ継手用パッキンが開示されている。これら特許文献では、金属製リングや圧縮制限片や補強金属芯によって、パッキンへの過剰な圧縮を妨げて、パッキンの変形や劣化を防ごうとしている。
【特許文献１】特開平７−３１０８２７号公報
【特許文献２】特開平９−２９２０７１号公報
【特許文献３】特開２０００−１２０９５３号公報
【発明の開示】
【発明が解決しようとする課題】
【０００３】
ところで、継手部分のパッキンは接合ボルトによって締め付けられ圧縮された状態になっている。また、パッキンは、配管内の流体からの熱や圧力に常時晒される。そのために、パッキンに変形や劣化が生じ、流体が漏れ出ることがある。
本発明の目的は、ブリスターなどによる変形や劣化が生じ難い、ボルトで締め付けられる管継手またはマンホール蓋のフランジ部に使用されるパッキンを提供することにある。
【課題を解決するための手段】
【０００４】
本発明者は、前記目的を達成するために鋭意検討した結果、フランジにある接合ボルト挿通孔の最外縁を結ぶ外接円の直径よりも小さく且つフランジにある接合ボルト挿通孔の最内縁を結ぶ内接円の直径よりも大きい外縁径を有する輪状平形パッキンに、フランジにある接合ボルト挿通孔に対応する位置に接合ボルトを挿通可能な大きさの欠けを設けることによって、ブリスターによる変形が抑制され、漏れが防止されることを見出した。この知見に基づきさらに検討することによって本発明を完成するに至った。
【発明の効果】
【０００５】
本発明のパッキンは、ブリスターなどによる変形や劣化が生じ難く、水密が長期間保たれる。本発明のパッキンは、ボルトで締め付けられる管継手またはマンホール蓋のフランジ部に好適に使用できる。
【発明を実施するための最良の形態】
【０００６】
本発明のパッキンの実施形態について、図面を参照しながら説明する。図１は、本発明のパッキンの一実施形態を示す図である。図２は、フランジのボルト挿通孔の外周円および内周円を説明するための図である。
パッキン１は、それを構成する材料によって制限されない。材料としては、鋼鉄、鋳鉄、アルミニウム合金、青銅、ホワイトメタルなどの金属や、カーボンなどの硬質材；皮、合成ゴム、合成樹脂などの軟質材；ガラス繊維などの補強材と合成樹脂などの結合剤とからなる複合材が挙げられる。
パッキン１は、図１に示すように輪状平形のものである。パッキン１の外縁径ｄAは、図２に示すフランジにある接合ボルト挿通孔３の最外縁を結ぶ外接円５の直径ｄoよりも小さく且つフランジにある接合ボルト挿通孔３の最内縁を結ぶ内接円６の直径ｄiよりも大きい。図２の中で外接円５は破線で示されており、内接円６は二点鎖線で示されている。ｄAがｄoより大きいとブリスターが発生しやすくなる。一方、ｄAがｄiより小さいと水密性が低くなりやすい。
【０００７】
パッキン１は、フランジ4にある接合ボルト挿通孔に対応する位置に接合ボルトを挿通可能な大きさの欠け２が設けられている。欠けの数は、フランジにある接合ボルト挿通孔の数に応じて適宜設けられ、通常は接合ボルト挿通孔の数と同数である。欠けの形は、特に制限されないが、強度の観点から円形または楕円形であることが好ましい。
欠けの大きさは、接合ボルトの太さに応じて適宜設定できるが、フランジの継面７の外周縁よりも外側に欠けの最内縁があるような大きさにすることが好ましい。欠けの最内縁が継面７の外周縁の内側になるような大きさになると、水密性が低くなりやすい。なお、フランジの継面７とは、フランジを接続する際にパッキンを介在させる面のことである。継面としては、全面平面のものと、同心の輪状の溝が設けられたものとがある。
パッキン１の内縁径ｄBは、フランジ中央の孔の大きさに応じて適宜設定できるが、内縁径ｄBは、フランジの継面７の内周縁の直径よりも大きいことが好ましい。
パッキン１は、その厚さが径方向において一定であるものであってもよいし、内側に向かって厚くなっているものであってもよい。また、同心の輪状の凸条が設けられているものであってもよい。
【０００８】
本発明のパッキンは、管継手の両フランジ間に、またはマンホール蓋とフランジ間に、欠け２をフランジの接合ボルト挿通孔のある位置に合わせて、挿入し、接合ボルトによって締め付け圧着される。このようにして本発明のパッキンを使用すると、パッキンにブリスターなどによる変形や劣化が生じ難くなる。
【図面の簡単な説明】
【０００９】
【図１】本発明のパッキンの一実施形態を示す図である。
【図２】フランジのボルト挿通孔の外周円および内周円を説明するための図である。
【符号の説明】
【００１０】
１：パッキン
２：ボルト挿通用の欠け
【図１】
2009204138.tif 000003
【図２】
2009204138.tif 000004
(57)【要約】  【課題】    吸盤本体（１）の頂部がスポイト状の吸引部（２）になっており、吸盤本体のドーム状の内部空間に侵入した気体を吸引することにより保持力を向上させ、スポイト状の吸引部の形態変化により保持力を知るゲージとなる吸盤装置を提供する。  【解決手段】  スポイト状の吸引部（２）が吸盤本体（１）のドーム状の内部空間に侵入した気体を吸引することにより吸盤本体（１）のドーム状の内部空間を減圧させ、保持力を向上させる。また、スポイト状の吸引部の形態変化によりドーム状の内部空間の気圧、または保持力を知るゲージとすることができることを特徴とする。  【選択図】  図１
2009024707.tif 000002
【特許請求の範囲】
【請求項１】
吸盤本体と該本体の頂部と一体に内腔が連絡されているスポイト状の吸引部からなることを特徴とする吸盤装置。
【請求項２】
吸盤本体に向って膨張、収縮可能なスポイト状の吸引部を有することを特徴とする請求項１記載の吸盤装置。
【請求項３】
前記スポイト状の吸引部の形態変化により吸盤本体の保持力を知ることができることを特徴とする請求項１又は２記載の吸盤装置。
【請求項４】
前記スポイト状の吸引部の表面には、吸引部の形態変化を示す表示手段が施されていることを特徴とする請求項１又は２又は３記載の吸盤装置。
【発明の詳細な説明】
【技術分野】
【０００１】
この発明は、スポイト状の吸引部を有する吸盤装置に関するものである。
【背景技術】
【０００２】
従来、吸盤はドーム状の内部空間に気体が侵入することにより保持力を喪失していた。また、吸盤の外見からは保持力を知ることが容易でなかった。
【発明の開示】
【発明が解決しようとする課題】
【０００３】
これは、次のような欠点があった。
吸盤本体のドーム状の内部空間に侵入した気体が一定量に達した時、保持力を喪失していた。また、その外見からは吸盤の保持力を知ることが容易でなく、突如落下することがあった。本発明は以上のような欠点をなくすためになされたものである。
【課題を解決するための手段】
【０００４】
吸盤本体（１）の頂部と一体に内腔が連絡されたスポイト状の吸引部（２）からなっており、吸盤本体のドーム状の内部空間に侵入した気体を吸引することにより保持力を向上させる。また、スポイト状の吸引部（２）の形態変化により吸盤本体（１）の保持力を知るゲージとなる。
本発明は、以上の構成によりなるスポイト状の吸引部を有する吸盤装置である。
【発明の効果】
【０００５】
スポイト状の吸引部（２）が吸盤本体（１）のドーム状の内部空間に侵入した気体を吸引することにより減圧させ、保持力を向上させることができる。また、スポイト状の吸引部の形態変化によりドーム状の内部空間の気圧、または保持力を知るゲージとすることができる。
【発明を実施するための最良の形態】
【０００６】
以下、本発明を実施するために最良の形態について説明する。
吸盤本体（１）を壁面等に吸着させる時、吸盤本体に加え、頂部のスポイト状の吸引部（２）にも圧力をかけ、内部の気体を押し出す。吸盤の保持力を知るためには、スポイト状の吸引部（２）の膨らみ具合を参考にするとよい。また、スポイト状の吸引部の形態変化を示す表示手段として、表面に見る角度により色が変化する塗料を施したり、形態変化により図柄が変わるイラストなどを施すことにより視覚的に形態変化を感じ取ることができる。吸盤の保持力が低下した時には、再度、吸盤本体（１）及び、スポイト状の吸引部（２）に圧力をかけると保持力が回復する。
【実施例】
【０００７】
以下に、いくつかの実施例について説明する。
【０００８】
〔実施例１〕
図３は、球状のスポイト状の吸引部（２）であって、吸盤本体（１）に侵入した気体の量、又は保持力をその膨らみ具合より知ることができる。
【０００９】
〔実施例２〕
図４は、本発明のスポイト状の吸引部の厚みを段階的に構成し、スポイトの復帰力を段階的に示すことにより吸盤本体（１）に侵入した気体の量、又は保持力を知ることができる。
【図面の簡単な説明】
【００１０】
【図１】本発明の斜視図である。（スポイト状の吸引部を有する吸盤装置）
【図２】本発明の斜視図である。（吸盤本体及びスポイト状の吸引部に圧力をかけている状態）
【図３】本発明の実施例１による、スポイト部の膨らみの経過を示す吸盤装置の斜視図である。
【図４】本発明の実施例２による、スポイト状の吸引部の厚みを段階的に構成した吸盤装置の斜視図である。
【符号の説明】
【００１１】
１  吸盤本体
２  スポイト状の吸引部
【図１】
2009024707.tif 000003
【図２】
2009024707.tif 000004
【図３】
2009024707.tif 000005
【図４】
2009024707.tif 000006
(57)【要約】【課題】潜熱回収用の二次熱交換器を、ドレンによるピンホールが絶対に空かないような構成とした給湯装置を提供する。【解決手段】燃焼室３内で燃焼する下向きのバーナ２と、該バーナ２の燃焼ガスの流れ方向上流側には、燃焼ガスの顕熱による通水との熱交換を行う一次熱交換器４と、該一次熱交換器４通過後の燃焼ガスをＵターンさせた後に蛇行路を形成する排気経路７と、該排気経路７の外側に水管を巻回して排気経路７を流通する燃焼ガスの潜熱と熱交換する二次熱交換器８と、該二次熱交換器８が備えられた排気経路７の下方でドレンを収集して中和する中和器１０とを備えたので、酸性の強いドレンで二次熱交換器８にピンホールが出来て水漏れする心配がなく、安心して使用出来るものである。【選択図】図１
2009024920.tif 000002
【特許請求の範囲】
【請求項１】
燃焼室内で燃焼する下向きのバーナと、該バーナの燃焼ガスの流れ方向上流側には、燃焼ガスの顕熱による通水との熱交換を行う一次熱交換器と、該一次熱交換器通過後の燃焼ガスをＵターンさせた後に蛇行路を形成する排気経路と、該排気経路の外側に水管を巻回して排気経路を流通する燃焼ガスの潜熱と熱交換する二次熱交換器と、該二次熱交換器が備えられた排気経路の下方でドレンを収集して中和する中和器とを備えた事を特徴とする給湯装置。
【発明の詳細な説明】
【技術分野】
【０００１】
この発明は、バーナの燃焼によって発生した燃焼ガスから熱交換器で熱回収を行い給湯に用いる給湯装置に関するものである。
【背景技術】
【０００２】
ところで従来よりこの種の給湯装置では、下向きのバーナを備え、その下方に顕熱回収用の一次熱交換器と、潜熱回収用の二次熱交換器を設け、更にその下方にドレン回収用の中和器を備えて、コンパクトでありながら熱回収率を向上した給湯装置を提供しようとするものであった。（例えば、特許文献１参照）
【特許文献１】特開２００２−２６７２６１号公報
【発明の開示】
【発明が解決しようとする課題】
【０００３】
しかし、この従来のものでは、排気経路内に二次熱交換器が備えられているので、燃焼ガスとの熱交換により発生する酸性の強いドレンによって、二次熱交換器にピンホールが発生して水漏れの原因となる危険性を有するものであった。
【課題を解決するための手段】
【０００４】
そこで、この発明は上記欠点を解決するため、特にその構成を、燃焼室内で燃焼する下向きのバーナと、該バーナの燃焼ガスの流れ方向上流側には、燃焼ガスの顕熱による通水との熱交換を行う一次熱交換器と、該一次熱交換器通過後の燃焼ガスをＵターンさせた後に蛇行路を形成する排気経路と、該排気経路の外側に水管を巻回して排気経路を流通する燃焼ガスの潜熱と熱交換する二次熱交換器と、該二次熱交換器が備えられた排気経路の下方でドレンを収集して中和する中和器とを備えたものである。
【発明の効果】
【０００５】
以上のように、この発明によれば、二次熱交換器を排気経路の外側に水管を巻回して設けたことにより、酸性の強いドレンで二次熱交換器にピンホールが出来て水漏れする心配がなく、安心して使用出来るものであり、更にピンホール防止用に高価なステンレス材や特殊加工をした熱交材料を使用する必要もないので、二次熱交換器を安価に提供出来ると言う効果も有するものである。
【発明を実施するための最良の形態】
【０００６】
次にこの発明の一実施形態を図面に基づいて説明する。
１は給湯機本体で、内方には上端にガンタイプ式のバーナ２を下向きに取り付けた燃焼室３が備えられており、更にこの燃焼室３内にはバーナ２の燃焼ガスの顕熱回収用の一次熱交換器４が備えられている。
【０００７】
５は燃焼室３の底部を一端に連通する連絡路で、他端には上部に排気口６を有する排気経路７が連通し、燃焼室３からの燃焼ガスを連絡路５でＵターンさせて排気経路７を介して排気口６から排出するものである。
【０００８】
８は前記排気経路７の外側に水管を巻回して形成された二次熱交換器で、排気経路７内を流通する燃焼ガスと給水とを熱交換させて潜熱回収を行うものであり、一次熱交換器４及び入水管９と接続し熱交換で温度上昇した温水を一次熱交換器４に流し、更に昇温させて適宜給湯として出湯するものである。
【０００９】
１０は排気経路７の下部に備えられた中和器で、二次熱交換器８による潜熱回収で発生する強酸性のドレンを収集し、中和して排水管１１から排水させるもので、排気経路７の底板１２と連通している。
【００１０】
１３はバーナ２内に備えられた燃料噴霧用のノズル、１４は燃焼空気を供給するバーナ２と一体の送風機、１５は炎検知用のフォトＩＣ、１６は点火用にスパークを飛ばす点火器、１７はオイルフィルター、１８は燃焼室３上端でバーナ２近傍に備えられ該バーナ２の温度を検知するバーナサーモである。
【００１１】
次にこの一実施形態の作動について説明する。
今適宜箇所の給湯栓（図示せず）が開栓されて給湯が開始されると、このお湯の流をフローセンサ（図示せず）が検知してバーナ２が燃焼を開始し、この燃焼で発生した燃焼ガスは燃焼室３内を流通することで、該燃焼室３内に備えられた一次熱交換器４と熱交換し中の通水を昇温させ給湯として給湯栓から出湯するものである。
【００１２】
更に一次熱交換器４と熱交換後の燃焼ガスは、まだ十分な熱量を保持したまま連絡路５でＵターンして排気経路７に流入し、ここで燃焼ガスは排気経路７を流通することで、該排気経路７外側に水管を巻回して形成された二次熱交換器８内に流入して来る給水と熱交換器て完全に温度低下されて排気口６から排気されるものである。
【００１３】
この二次熱交換器８で温度上昇した温水は、前の一次熱交換器４に流入しここでバーナ２の燃焼で発生した次の燃焼ガスとの熱交換で更に加熱されて、給湯として給湯栓から出湯されるものであり、燃焼ガスの熱を効率よく有効に使用することが出来るものであり、又この時のバーナ２の燃焼量（火力）は、一次熱交換器４を出た温水温度を温度センサ（図示せず）で検知し、この温度が使用者自身が設定する給湯設定温度になるように調節したり、ミキシング弁（図示せず）を設けて給水と混合した温水温度が給湯設定温度になるように調節するものである。
【００１４】
次に排気経路７の二次熱交換器８の給水と燃焼ガスとの潜熱回収で発生する強酸性のドレンは、排気経路７下方に備えられた中和器１０に溜められ、炭酸カルシウムなどの中和剤で中和された後、排水管１１を介して排出されるものである。
【００１５】
このように、二次熱交換器８を排気経路７の外側に水管を巻回して設けたことにより、酸性の強いドレンで二次熱交換器８にピンホールが出来て水漏れする心配がなく、安心して使用出来るものであり、更にピンホール防止用に高価なステンレス材や特殊加工をした熱交材料を使用する必要もないので、二次熱交換器８を安価に提供出来ると言う効果も有するものである。
【図面の簡単な説明】
【００１６】
【図１】この発明の一実施例を付した給湯装置を示す概略構成図。
【符号の説明】
【００１７】
２  バーナ
３  燃焼室
４  一次熱交換器
７  排気経路
８  二次熱交換器
１０  中和器
【図１】
2009024920.tif 000003
(57)【要約】【課題】ゴムテープにレバーつきクリップをつけて、乳房切除者でブラジャーの片側が上にずれてしまわないように、下着の上（ブラジャー）と下（ショーツ）を繋ぎ留めることで安定させる、下着の安定具つきブラジャーを提供する。【解決手段】巻き止める側（４）と縫い止める側（５）の各縫代端部を、共に薄手の生地に形成したゴムテープ（Ｂ）を、長さ調節具（Ａ）に通し、これを更にレバー（８）部位をもつレバーつきクリップ（１２）のゴム通し部（６）へ挿通してなる安定具（１３）を、ブラジャー本体のカップダーツ部下中央（１１）に縫着したことを特徴とする、安定具つきブラジャー。【選択図】図５
2009024313.tif 000002
【特許請求の範囲】
【請求項１】
巻き止める側と縫い止める側の各縫代端部を、共に薄手の生地に形成したゴムテープを長さ調節具に通し、これを、さらにレバー部位をもつレバーつきクリップのゴム通し部へ挿通してなる安定具を、ブラジャー本体のカップダーツ下中央に縫着した事を特徴とする、安定具つきブラジャー。
【発明の詳細な説明】
【技術分野】
【０００１】  本発明は、乳房切除者が着用するブラジャーに、ゴムテープへレバーつきクリップをセットしてブラジャーに縫い付け、ゴムの弾力でブラジャーを常に定位置に安定させる、安定具つきブラジャーに関するものである。
【背景技術】
【０００２】  従来、市場にはあまり出ていなかったので、切除者の中では、あまり知られていなかった。
【特許文献１】実開平６−１２４１４
【特許文献２】特開平１０−２２６９０４
【発明の開示】
【発明が解決しようとする課題】
【０００３】  そのために、次のような問題点があった。
（イ）左右いずれか一方の乳房がないと、動作のたびにブラジャーが動いて、上方などへずれて、位置が定まらない。
（ロ）動作によってブラジャーが動くと付け心地が悪く、又鏡やガラス戸に写る姿を見たとき、バストの位置の高さが左右違っていたりすることがある。
（ハ）人目を避けて、コッソリ着衣の上から引っ張って、形を整える不便さがある。本発明は、これらのことを解決するためのものである。
【課題を解決するための手段】
【０００４】  乳房切除者が着用するブラジャーに、ゴムテープへレバーつきクリップをつけたものをブラジャーに縫い付け、そのレバーつきクリップで下の下着、すなわちショーツの上縁をはさみ、ゴムの弾力でブラジャーを常に定位置に、安定させるものである。
【発明の効果】
【０００５】  ブラジャーに安定具を取り付けることで、どんな動きをしても、ゴムの弾力で元の位置に戻るので、きわめて安心である。
【発明を実施するための最良の形態】
【０００６】  以下、本発明の実施形態について説明する。
（イ）先ず、図１（Ａ）の心棒部位（１）にゴムテープ（Ｂ）を通す空間（２）（３）を通して、巻きとめる側（４）を巻き付けて止める。ゴムテープ（Ｂ）の巻き止める側（４）を巻き、縫いとめる側（５）は、重なって厚くなるのを防ぐため、ともに薄手の生地で縫代端部を形成する。（図１の（Ｂ）参照）
（ロ）長さ調節具（Ａ）の心棒部位（１）に、ゴムテープ（Ｂ）の巻き止める側（４）を巻き、縫い止める。（Ｃ）は長さ調節具（Ａ）とゴムテープ（Ｂ）をセットしたものである。
（ハ）次に、図２に示すように、ゴムテープ（Ｂ）の縫いとめる側（５）をレバーつきクリップのゴム通し部（６）に通し、ゴムテープの中程まで進め、レバー（８）にて一時止めておく。更にその先を長さ調節具（Ａ）のゴムテープを通す空間（２）（３）に通す。ここはゴムテープが二重になる。（図３の二重部位（９）参照）
（ニ）ゴムテープの縫い止める側（５）を長さ調節具（Ａ）の外側へ少し引き出す。ここは、縫い止める側（５）の縫代となる。（図３参照）
（ホ）次に、一時止めておいた上記（ハ）におけるレバーつきクリップの位置を整え、上記（ニ）の縫代部の寸法を考えて全体の形を整える。
（ヘ）図４及び図５は、ブラジャーの内側（裏側）から見た状態を示したもので、ブラジャーカップ部下中央（１１）に、（ホ）で整えられた安定具（１３）の縫い止める側（５）を仮に置く。ここは二度縫いをしてつけるので、仕上がりに表が出るようにブラジャーの裏に縫い付ける。一度目は、図３の安定具（１３）の表を見て上向きに置いて安定具クリップの表側から見て縫い止める。次に二度目を縫いとめるときは、安定具の先をブラジャーの下側へおろして、安定具（１３）の裏を見て縫い止める。この時、縫代のゴムの部分を縫うとかっちりと収まる。図５に示す。
【図面の簡単な説明】
【０００７】
【図１】本発明の部品説明図  （Ａ）  長さ調節具  （Ｂ）  ゴムテープ  （Ｃ）  （Ａ）（Ｂ）をセットした図
【図２】本発明のレバーつきクリップの斜視図
【図３】本発明の安定具を示す斜視図
【図４】本発明の安定具を上方へ裏返した状態を示す斜視図
【図５】本発明の安定具つきブラジャーを示す斜視図
【符号の説明】
【０００８】（１）        心棒部位
（２）（３）  ゴムテープを通す空間
（４）        巻き止める側
（５）        縫い止める側
（６）        ゴム通し部
（７）        バネ
（８）        レバー
（９）        二重部位
（１０）      クリップのはさみ部
（１１）      カップダーツ部下中央
（１２）      レバーつきクリップ
（１３）      安定具
【図１】
2009024313.tif 000003
【図２】
2009024313.tif 000004
【図３】
2009024313.tif 000005
【図４】
2009024313.tif 000006
【図５】
2009024313.tif 000007
(57)【要約】【課題】本発明の束柱と束石の連結具は、束柱の支持面に侵入する雨水などの防止ができ、束柱の長命化に寄与し、施工も簡単に出来、コスト面にも留意した束柱と束石の接合具を提供することを目的とするものである。【解決手段】束柱１の下面に水切りミゾ５を有する硬質ゴム板３を木ねじ４で固着せしめ、該硬質ゴム板３の反面に棒状に突出した棒状突起部６を、束石２の上面中央に掘削された孔７に接着剤にて固着せしめる、束柱と束石を支持固定する連結具である。【選択図】図１
2009024342.tif 000002
【特許請求の範囲】
【請求項１】
所定厚さの硬質ゴム板の表面側に適宜深さの水切りミゾを設け、前記硬質ゴム板の裏面側の中心部に束石の掘削孔に嵌合する下方へ突出する棒状突起部を一体に設け、さらに前記硬質ゴム板の複数個所には、束柱に硬質ゴム板を固定するための貫通した木ねじ用孔を設けたことを特徴とする束柱と束石の連結具。
【発明の詳細な説明】
【技術分野】
【０００１】
本発明は、一般建築、特に木造建築における束柱と束石の連結構造に関するものであり、雨水などによる束柱の腐食を防止できる束柱と束石の連結具に関する。
【背景技術】
【０００２】
国内の木造建築は、土台と床との間に隙間を設けて風通しをよくして、湿気やカビ等に対する対策を施して来た。
建造物を支える床束、いわゆる支柱を基礎上台に固定する技術としては、束石を使用することが一般的である。
【０００３】
従来の束柱と束石との連結は、束柱の下端に凸状の平ほぞを形成し、束柱と束石を結合するものなどが提案されている。
これらは風雨に曝され、束柱の下端から侵入する雨水により束柱が腐食され短命であった。
【０００４】
尚、上記とは逆に束柱の下端に凹部を掘削し、束石の上部に凸状の突起部を設け、これらを嵌合せしめて束柱下端部の腐食を防ごうとしたものであるが、水切りをせしめるための補助部品を要し、手間がかかりコスト高であった。
【特許文献１】特開２００６−１９４０６２号公報
【特許文献２】特許第３０４４２３７号公報
【特許文献３】実用新案登録第３０１７７９５号公報
【発明の開示】
【発明が解決しようとする課題】
【０００５】
本発明は、束柱の下端部が雨水などによる腐食を防止するのみならず、施工も簡単であり、コストの軽減に寄与する束柱と束石の連結具を得ることを目的とする。
【課題を解決するための手段】
【０００６】
上記課題を達成すべく鋭意検討した結果、本発明に至った。
本発明の束柱と束石の連結具は、所定厚さの硬質ゴム板の表面側に適宜深さの水切りミゾを設け、前記硬質ゴム板の裏面側の中心部に束石の掘削孔に嵌合する下方へ突出する棒状突起部を一体に設け、さらに前記硬質ゴム板の複数個所には、束柱に硬質ゴム板を固定するための貫通した木ねじ用孔を設けたものである。
【発明の効果】
【０００７】
本発明は束柱の下端部分を水の侵入から防ぎ、腐食防止及び施工も簡単で、コストの軽減化に繋がる。
本発明は、木造建築に於いて束柱と束石との結合に関し、束柱の下端部が雨水などの侵入によって腐食されることを防止でき、束石への結合がごく簡単に施工できることで、従来の方法にない効果が期待できる。
【発明を実施するための最良の形態】
【０００８】
本発明の束柱と束石の連結具の一実施例を添付図面に基づいて、以下に説明する。
図１の縦断面図に本発明の束柱と束石の連結具を使用した束柱と束石の構造を示し、図２の平面図及びＡ−Ａ矢視断面図に本発明の束柱と束石の連結具を示した。
本発明の束柱と束石の連結具は、図２の平面図に示すように、所定厚さの硬質ゴム板３の表面側に適宜深さの水切りミゾ５を設け、裏面側の中心部に下方へ突出する棒状突起部６を一体に設けたものである。
また、前記硬質ゴム板３の複数個所には、束柱１に硬質ゴム板３を固定するために貫通した木ねじ用孔８を設ける。
前記硬質ゴム板３は、束柱１の断面形状に略一致した形状とし、束柱１の方形断面状や円形断面状などの適宜の形状に形成することができる．
前記水切りミゾ５は、束柱から流下した雨水等を束柱１と硬質ゴム板３の間から排水できる構造であれば良く、本実施例では円形みぞと該円形みぞの外側に直線みぞを組み合わせた形状としている。
前記棒状突起部６は、束石２に掘削された掘削孔７に嵌合する形状であれば良く、円棒状や角棒状などで前記硬質ゴム板３と一体に形成される。
【０００９】
次に、本発明の束柱と束石の連結具の使用操作を添付図面に基づいて、以下に説明する。
まず、最初に硬質ゴム板３の表面側、即ち水切りミゾ５を設けた側を束柱１の下端面に当接させて各木ねじ用孔８を介して木ねじ４により前記硬質ゴム板３を束柱１に固定する。
束石２は、地面にアンカーボルト９を固着して固定し、束石２の上面に掘削された掘削孔７に前記硬質ゴム板３の棒状突起部６を嵌合させて固定する。
こうすることによって、束柱１から流下した雨水等を束柱１と硬質ゴム板３の間から前記硬質ゴム板３の水切りミゾ５によって排水できるとともに、前記水切りミゾ５が通気通路となるので乾燥を促進し、束柱１下端部の腐食を防止することができる。
また、束柱１と束石２との結合に関し、棒状突起部６を掘削孔７へ接着剤を介して嵌合することにより束柱１の束石２への結合が強固に極簡単に施工できる。
【図面の簡単な説明】
【００１０】
【図１】本発明に係わる束柱と束石の連結具による支持構造を示す縦断面図である。
【図２】本発明の連結具の（ａ）平面図及び（ｂ）Ａ−Ａ矢視断面図である。
【符号の説明】
【００１１】
１  束柱
２  束石
３  硬質ゴム板
４  木ねじ
５  水切りミゾ
６  棒状突起部
７  掘削孔
８  木ねじ用孔
９  アンカーボルト
【図１】
2009024342.tif 000003
【図２】
2009024342.tif 000004
(57)【要約】 【課題】  本発明は、屋根の熱反射、遮熱を従来の屋根の上での施工の危険性と重い複合材と、施工時間がかかるのを解消し、軽くて、簡単で、早く安全に施工することを目的としたものである。【解決手段】  ダンボール両面アルミ蒸着貼り熱反射遮熱ボード（１）を母屋（２）と屋根垂木（３）の間に入れ、内折り目（７）を内折りに曲げて押し上げて施工する【選択図】  図４
2009024475.tif 000002
【特許請求の範囲】
【請求項１】
ダンボール紙両面アルミ蒸着貼り熱反射遮熱ボード（１）を山折り（４）にして屋根垂木（３）にとめる。片方を屋根垂木位置下地印し線（５）にとめる。長さが足らない場合は補足材（６）をつけて施工することからなる屋根裏熱反射遮熱材。
【請求項２】
ダンボール紙両面アルミ蒸着貼り熱反射遮熱ボード（１）を内折り目（７）をつけ、内折りに曲げて母屋（２）にとめ、片方を屋根垂木（３）にとめて施工することからなる屋根裏熱反射遮熱材。
【発明の詳細な説明】
【技術分野】
【０００１】
この発明は、屋根の熱反射、遮熱を目的に関するものである。
【背景技術】
【０００２】
従来、屋根板面のパネル化をし、断熱材と熱反射、遮熱アルミシートを複合して施工がされていることが知られている。（特許文献１参照）。
【特許文献１】特願２００３−１７６５９５
【発明の開示】
【発明が解決しようとする課題】
【０００３】
屋根の熱反射、遮熱をするとき、次のような問題点があった。熱反射、遮熱、断熱材、構造材を複合化したため重量が重く、また雨、風、雪の気象状況の影響に左右され施工に時間がかかり、また安全施工上にも不安があった。本発明は、以上の問題点を解決し、簡単に施工できるようになされたものである。  
【課題を解決するための手段】
【０００４】
屋根垂木（３）の下から、母屋（２）の間に、ダンボール紙両面アルミ蒸着貼り熱反射遮熱ボード（１）に内折り目（７）をつけ、内折りに曲げて下から押し上げはめ込み、屋根垂木（３）と母屋（２）に止める。本発明は、以上の構成より簡単に施工できるボードである。  
【発明の効果】
【０００５】
本発明を使用することで、自然現象の気象状況に影響されることなく、軽くて、簡単で、早く、安全に施工することができる。
【発明を実施するための最良の形態】
【０００６】
以下、本発明の実施の形態を説明する。
（イ）  両面アルミ蒸着貼りからなるダンボール紙（１）に内折り目（７）をつける。      
本発明は、以上の構成によりなる。  
本発明を使用する場合は、両面アルミ蒸着からなるダンボール紙（１）に内折り目（７）をつけ内折りに曲げ、母屋（２）と屋根垂木（３）に押し上げて取り付ける。
【産業上の利用可能性】
【０００７】
木造住宅の屋根の熱反射遮熱性能向上と施工性が向上する。
【図面の簡単な説明】
【０００８】
【図１】本発明の使用箇所と納まり図
【図２】本発明の詳細図
【図３】本発明の詳細図
【図４】本発明の使用箇所と納まり図
【図５】本発明の詳細図
【符号の説明】
【０００９】
（１）ダンボール両面アルミ蒸着貼り熱反射遮熱ボード
（２）母屋
（３）屋根垂木
（４）山折り
（５）屋根垂木位置下地印し
（６）補足材
（７）内折り目
【図１】
2009024475.tif 000003
【図２】
2009024475.tif 000004
【図３】
2009024475.tif 000005
【図４】
2009024475.tif 000006
【図５】
2009024475.tif 000007
(57)【要約】【課題】ズボンを身につけた際に、裾部分が作業の邪魔になったり、またはブーツや長靴類を履き、ズボンの裾をそれらの中に入れて着用する際に、ひも状の物で裾を係止した場合、体を動かすとズボンの裾が一緒にずれてしまい、履き心地も、見た目も悪く、ズボンも皺になってしまう場合があった。【解決手段】伸縮性を持つ部材を用い、足首部分より少なくとも上方部分を係止する環状の第一係止部と、足の裏部分を係止する環状の第二係止部からなり、第一係止部と第二係止部が相互に連結されたものにより、ズボンの裾を足に固定する。【選択図】図１
2009074208.tif 000002
【特許請求の範囲】
【請求項１】
ズボンを始めとする二股に分かれた下半身に着用する着衣を足に固定する装着具であって、伸縮性を持つ部材を用い、足首部分より少なくとも上方部分を係止する環状の第一係止部と、足の裏部分を係止する環状の第二係止部からなり、第一係止部と第二係止部が相互に連結された装着具。
【発明の詳細な説明】
【技術分野】
【０００１】
本発明は、ズボンを始めとする二股に分かれた下半身に着用する着衣（以下ズボンと称する）を足に固定する装着具に関する。
【背景技術】
【０００２】
ズボンを身につけた際に、裾部分が作業の邪魔になったり、汚れてしまったりする場合があるので、ズボンの裾を足に固定したい。
【０００３】
またはズボンの裾を上記の目的や、あるいはファッション性から、ブーツや長靴の中に入れて着用したい場合に、ズボンの裾を足に固定したいが、従来は第４図の７に示すように自転車用ゴムベルトのような帯状の物を用いて地面に対して並行方向へ足元を係止するものが用いられている。
【０００４】
あるいは第５図９に示すように８に示すズボンに直接固定して、地面に対して垂直方向で足元を係止するものが用いられている。
【発明の開示】
【発明が解決しようとする課題】
【０００５】
ズボンを身につけた際に、裾部分が作業の邪魔になったり、汚れてしまたりするのを防ぐため、あるいはファッション性からズボンの裾をブーツや長靴の中に入れて着用したい場合に、ズボンの裾を足に固定したい。
【０００６】
以上に述べた従来のズボンの裾と足を固定させる場合は、第５図に示すように８のズボンそのものに９のひも状のものを取り付ける為、取り付けや付け替えに手間がかかる。
【０００７】
または第４図の７に示す従来の方法で一つの環を形成して固定した場合、動くうちにズボンの裾が係止具ごと一緒にずれてしまい、履き心地が悪い、見た目が悪い、何度も直さなければならない、ズボンが皺になってしまうなどの場合があった。
【課題を解決するための手段】
【０００８】
本発明は目的を達成するために、ズボンの裾を足に固定する装着具であって、伸縮性を持つ部材を用い、足首部分より少なくとも上方部分を係止する環状の第一係止部と、足の裏部分を係止する環状の第二係止部からなり、第一係止部と第二係止部が相互に連結されたものである。
【０００９】
上記課題解決手段による作用は次の通りである。第一係止部の環に足首部分より少なくとも上方部分を通し、第二係止部の環に足裏部分を係止することにより足に固定するが、伸縮性を持つ部材を用いるため、着脱が容易であると共に、体を動かしても伸縮性のある部材が体の動きに合わせて伸縮し、また、二つの環が地面と垂直、水平の二方向に引っ張られ、ズボンの裾を足に固定することができる。
【発明の効果】
【００１０】
伸縮性を持つ部材を用いるため、着脱が容易であると共に、体を動かしても伸縮性のある部材が体の動きに合わせて伸縮し、また、二つの環が地面と垂直、水平の二方向に引っ張られ、ズボンの裾を足に固定することができる為、ズボンがずり上がるのを防ぎ、これにより履き心地も悪くならず、ズボンも皺にならないという効果を得られる。
【００１１】
また、ズボンの裾をブーツ類または長靴などの作業靴の中に入れて動作を行いたい場合において、ズボンの裾が固定されて靴類の中に収まるため、外からの見た目にも美しく、また体を動かしても上記同様に二つの環がそれぞれの二方向に引っ張っられる為、裾部分がずれないという効果が得られる。
【００１２】
また、伸縮性を持つ部材を用いるため、ブーツ類または長靴などの作業靴の中にズボンの裾を入れて着用する場合だけでなく、ブーツ類または長靴などの作業靴の上からでも着用する事ができるという効果が得られる。
【００１３】
また、連結部分にボタン、ベルト、着脱可能なテープなどの部材を用いて連結させる事により、環の大きさを変えることができ、足や靴の大きさに関わらず装着する事ができるという効果が得られる。
【発明を実施するための最良の形態】
【００１４】
以下、本発明の実施形態を第１図から第３図に基づいて説明する。
【００１５】
第一図は本発明の装着具全体を示すものである。１は足首より少なくとも上の部分を係止する第一係止部、２は足の裏部分を係止する第二係止部であり、３は第一係止部と第二係止部が交差した部分を固定し連結した部分であるが、第一図に示す以外にも適宜考えられる。
【００１６】
第一係止部、第二係止部の素材は例えばゴムやゴムを織込んだ伸縮性の部材を使用し、第一図３の連結部は、交差部分を縫い付けて固定する。
【００１７】
しかし、ボタン、ベルト、着脱可能なテープなどの部材を適宜使用する事により、第一図１及び２の環の大きさを変えることも可能である。
【００１８】
第一図１及び２をなす部材の太さは適宜考えられる。
【００１９】
また、一本の平ゴムを利用し、第一図に示すように、第一係止部、第二係止部を概略８の字状に形成し、交差部分を縫い付けて固定すれば容易に製作することも可能である。
【００２０】
第一図３の連結部分は１と２を直接固定する他に、第三図６のように両者の間に連結用部材を用いて接着させることも可能である。
【００２１】
次に第二図に基づいて本発明の装着具の装着方法を説明する。足首部分に１を通し、２へ向かってくぐらせ、2の環の中に5の足を係止させ、これにより4のズボンの裾を足に固定する。
【図面の簡単な説明】
【００２２】
【図１】本発明の実施形態を示すズボンの裾を足に固定する装着具の全体図
【図２】着用したズボンの上から本発明を装着した状態の図
【図３】本発明の実施形態の第一図１と２を連結する部分を直接固定せずに他の部材を用いて連結した場合の図
【図４】従来のズボンを係止する為に用いるヒモ状の既存商品図
【図５】従来のズボンを係止する為に固定用ヒモをズボンに直接着けた状態図
【符号の説明】
【００２３】
第一図１  足首より少なくとも上の部分を係止する第一係止部
第一図２  およそ足の裏部分を係止する第二係止部
第一図３  第一係止部材と第二係止部材を連結する部分
第二図４  ズボン部分
第二図５  足部分
第三図６  １と２を連結させる為に、連結用部材を用いた場合の連結部分
第四図７  従来のズボンを係止する為に用いるヒモ状の商品
第五図８  固定用ヒモを取り付けた状態のズボン
第五図９  ズボンを係止する為に取り付けた固定用ヒモ
【図１】
2009074208.tif 000003
【図２】
2009074208.tif 000004
【図３】
2009074208.tif 000005
【図４】
2009074208.tif 000006
【図５】
2009074208.tif 000007
(57)【要約】【課題】取付けが簡単かつ確実に行える、墓石に取り付ける石材製の花飾りを提供する。【解決手段】 花飾り１０は石材から一体に削り出されたものであり、ディスク状の本体１１と、その裏面に垂直に突出する一体の軸部１２からなっており、本体１１の表側に花が彫ってある。この花飾りを取り付ける墓石２０には、花飾りの軸部１２が入る大きさの孔２１をコアドリルを用いてあけておく。取付時、花飾りの軸部１２の表面にボンドを塗布し、花飾り本体１１の裏面が墓石２０に当たるまで軸部を孔２１の中に挿入する。【選択図】図１
2009074248.tif 000002
【特許請求の範囲】
【請求項１】
墓石に取り付けるための石材製の飾りであって、花の形を彫った本体部と、該本体部の裏面から突出する、該本体部と一体の軸部から成り、該軸部を該墓石に穿設した孔の中に挿入して固定することを特徴とする墓石用花飾り。
【請求項２】
該石材が花の種類にほぼ適合する色を備えている請求項１に記載の墓用花飾り。
【請求項３】
該軸部と該孔の内面をボンドで接着した請求項１または２に記載の墓石用花飾り。
【請求項４】
該軸部の周面に板ばねを取り付け、該軸部を該孔の中に押し込むことにより、該板ばねが収縮して該軸部が該孔の中に固定されるように構成した請求項１、２または３に記載の墓石用花飾り。
【請求項５】
該本体部の裏面に溝を形成し、該溝にはめ込むようにして、石材製の葉を取り付けるようにした請求項１、２、３または４に記載の墓石用花飾り。
【請求項６】
該葉が緑色系の石材を用いて作ったものである請求項５に記載の墓石用花飾り。
【発明の詳細な説明】
【技術分野】
【０００１】
この発明は、墓石に取り付ける石材製の花飾りである。
【背景技術】
【０００２】
墓石に花の模様を彫り込むことは従来から行われている。これは花を絶やさないようにしたいという願いに基づくものであるが、この花の彫刻はあまり目立たない。そこで、象眼細工のように、墓石の表面に花の模様を彫り、その窪みに、色つきの石を薄く削ってはめ込んだ墓石も作られている。このものは花模様が鮮やかでよく目立つが、雨風に晒されるなどして長年の間に、接着剤で貼り付けた薄い石が剥がれやすいという欠点がある。
【発明の開示】
【発明が解決しようとする課題】
【０００３】
この発明は、墓石に取り付ける石材製の花飾りであって、見映えがよく、取付けが簡単かつ確実に行えるものを提供することを課題とする。
【課題を解決するための手段】
【０００４】
この発明に係る墓石用花飾りは、墓石に取り付けるための石材製の花飾りであって、花の形を彫った本体部と、本体部の裏面から突出する、本体と一体の軸部から成り、軸部を墓石に穿設した孔の中に挿入して固定することを特徴とする。花飾りは花の種類に応じて赤、黄、橙などの色を帯びた石材（たとえば大理石や花崗岩など）で作るのが好ましく、このような色つき石を用いることで墓石に取り付けたとき花飾りがよく映える。なお、このような色付き石は、インドや中国で多く産する。
【０００５】
この花飾りは墓石と別体のものとして作られるので、客は好みの墓石と好みの花飾りを組み合わせることができる。
【０００６】
このものでは、花飾り本体部に一体に軸部が形成されており、これを、墓石にあけた孔に挿入して固定するので、脱落することなく花飾りをしっかりと墓石に固定することができる。また、孔の位置を変えることで、花飾りを墓石のどこでも自在に取り付けることができる。なお、花飾りの軸部が抜けないよう、軸部と孔の内面をボンドで接着することが好ましい。
【０００７】
取り付けた花飾りに飽きがくることもあるので、いったん取り付けた花飾りを後で別のものに交換できれば便利である。この場合は、ボンドは使えないので、軸部の周面に板ばねを取り付ける。軸部を孔の中に押し込むと、板ばねが収縮して孔の中に固定され、花飾りを強く引けば、軸部が穴から抜ける。
【０００８】
花飾りに葉も付けするとさらに見映えがよくなる。葉の部分は緑色系の石材で作ることがことが好ましい。葉の部分は、花飾り本体部の裏面に溝を形成し、溝にはめ込むようにして、取り付けるようにすれば、葉が破損しにくい。
【発明を実施するための最良の形態】
【０００９】
この花飾り１０は石材から一体に削り出されたものであり、図１に示すように、ディスク状の本体１１と、その裏面に垂直に突出する一体の軸部１２からなっており、本体１１の表側に花が、ここではひまわりの花が彫ってある。石材は花の色に近いものを選んで使用するが、ここでは花がひまわりであるので黄色系の大理石を用いている。
【００１０】
この花飾りを取り付ける墓石２０には、花飾りの軸部１２が入る大きさの孔２１をコアドリルを用いてあけておく。図２に示すように、孔２１の深さは軸部１２の長さよりややくする。取付時、花飾りの軸部１２の表面にボンド（たとえばエポキシ系接着剤）を塗布し、花飾り本体１１の裏面が墓石２０に当たるまで軸部を孔２１の中に挿入する。こうしてボンド１３が硬化すれば、取り付け完了である。
【００１１】
このようにして取り付けられた花飾りは、ボンドが剥がれた場合でも、軸部１２が孔２１の中に挿入されているので、直ちに落下することがなく安全である。
【００１２】
図３は、赤色系の石材で作ったバラの花飾り１０であって、見映えをよくするために緑色系の石材で作った葉１５も備えている。このものは、図４および図５に示すように、花飾り１０の裏面に溝１６を設け、これらの溝に接着剤を塗って、緑系の石で作った葉１５をはめ込ようにする。葉１５に無理な力がかかると破損しやすいので、墓石への取付ける時は、葉１５の裏面も墓石２０に接着するようにするとよい。
【００１３】
墓石に取り付けた花飾りを後になって別の物に取り替えられるようにするために、図６はボンドを使わずに、ばね１７を用いたものである。ばね１７は円弧状に形成した板ばねを用い、一端をピン１９で軸部１２に取り付ける。こうして板ばねを取り付けた軸部を墓石の孔２１に押し込むと、板ばね１７が収縮した格好で孔の中に納まる。この状態では、ばねが拡大しようとして孔の内面に力を及ぼしているので、脱落することはない。花飾りを外すときは、ばねの力に打ち勝って花飾りを強く引っ張れば、軸部が抜けてくる。こうして、元の孔を利用して別の花飾りを取り付けることができる。
【図面の簡単な説明】
【００１４】
【図１】墓石に取り付けるの花飾りの斜視図である。
【図２】墓石に取り付けた花飾りの断面図である。
【図３】葉を有する花飾りの正面図である。
【図４】図４の花飾りを裏側から見た状態の斜視図である。
【図５】図４の花飾りの取付け状態断面図である。
【図６】板ばねを取り付けた花飾りの斜視図である。
【符号の説明】
【００１５】
１０  花飾り
１１  本体
１２  軸部
１３  ボンド
１５  花
１６  溝
１７  板ばね
２０  墓石
２１  孔
【図１】
2009074248.tif 000003
【図２】
2009074248.tif 000004
【図３】
2009074248.tif 000005
【図４】
2009074248.tif 000006
【図５】
2009074248.tif 000007
【図６】
2009074248.tif 000008
(57)【要約】      （修正有）【課題】強盗や犯罪から身を守るためのドアを提供する。【解決手段】もし強盗等が玄関から入っても、警察等に連絡できるし、命を守る事ができるようにドアの内側にもう１つのドアを設ける。【選択図】図１
2009074235.tif 000002
【特許請求の範囲】
【請求項１】
玄関から入ってもう１つドアを作る。強盗や犯罪から身を守る為、マンション等、階が高くなると逃げる事ができない。
【請求項２】
簡単に開けられない様にする―鍵がかかる様にする為
【発明の詳細な説明】
【技術分野】強盗等が入れない様に鍵がかけられる様にする
【図１】
2009074235.tif 000003
【手続補正書】
【提出日】平成19年12月4日(2007.12.4)
【手続補正２】
【補正対象書類名】明細書
【補正対象項目名】全文
【補正方法】変更
【補正の内容】
【発明の詳細な説明】
【技術分野】
【０００１】強盗等が入れない様に鍵がかけられる様にする
【図面の簡単な説明】
【０００２】
【図１】玄関から強盗等が入った場合その奥のドアを閉め、鍵をかけ警察等に連絡をする事ができ、住人等を犯罪から守れる図である。
(57)【要約】【課題】  オムツを嫌がる年齢になったときや、布団の上に敷くだけのおねしょシーツだと、毛布なども濡れてしまうことがあるが、それらを最小限にするために、筒状おねしょ防水シーツを提供する。【解決手段】  柔らかな素材の防水シートを人間のウエストからひざ下あたりまでの丈のスカート状に形成し、該スカート状の本体はウエスト部分をゴムで伸縮自在に構成し、その内側に、裾より約１５〜２０ｃｍほど上、着用したときに股より約１０〜１５ｃｍ下になるような位置に、本体の前後を渡すように接合できる弁を形成したことを特徴とする、筒型おねしょ防水シーツ。【選択図】図１
2009074221.tif 000002
【特許請求の範囲】
【請求項１】
柔らかな素材の防水シートを人間のウエストからひざ下あたりまでの丈のスカート状に形成し、該スカート状の本体はウエスト部分をゴムで伸縮自在に構成し、その内側に、裾より約１５〜２０ｃｍほど上、着用したときに股より約１０〜１５ｃｍ下になるような位置に、本体の前後を渡すように接合できる弁を形成したことを特徴とする、筒型おねしょ防水シーツ。
【発明の詳細な説明】
【技術分野】
【０００１】  本発明は、乳幼児がおねしょをしてしまった場合に、布団やシーツ、毛布などを濡らしてしまうことを、最小限に食い止めるために使用する、筒型おねしょ防水シーツに関するものである。
【背景技術】
【０００２】  従来、おねしょをする子どもには、オムツをしたり、布団の上に防水のおねしょシーツを敷いたりして、布団が汚れるのを防いでいた。
【発明の開示】
【発明が解決しようとする課題】
【０００３】  そのために、以下のような場合には不便であった。
（イ）年齢が学齢期に入ると、おねしょをしてしまう子どもでも、オムツをすることは精    神的に傷ついてしまうことがあった。
（ロ）子どもは寝相が悪いので、防水シーツを敷いている場所以外のところでおねしょを    してしまうことがあった。
（ハ）布団の上に防水シーツを敷くだけでは、体の上にかけている毛布や掛け布団もぬら    してしまうことがあった。
本発明は、これらの題点を解決するためになされたものであった。
【課題を解決するための手段】
【０００４】  柔らかな素材の防水シートを子どものウエストからひざ下あたりまでの丈のスカート状に形成し、該スカート状の本体はウエスト部分をゴムで伸縮自在に構成し、その内側に、着用時に太ももの中間あたりの位置に、本体の前後を渡すように接合できる弁を形成したことを特徴とする、筒型おねしょ防水シーツ。
【発明の効果】
【０００５】  本発明を使用することによって、寝相の悪い子どもでも、腰まわりに防水シーツをまとっている状態なので、おねしょをした場合に布団はもとより、毛布などが濡れることも防ぐ。
本発明品は、ウエスト部分がゴムになっており、伸縮自在なので、本人が寝てしまったあとからでも、本体を足の方から通し、前後の接合弁を面ファスナーで結合させ、装着させることが容易である。
また、前後から股下部分を接合させることで、寝相の動きによって本体の裾が股下接合部よりめくりあがることを防ぐ。
本体をスカートの形状にしたことにより、着脱の簡易さだけでなく、ほどよくゆとりがあるので、本発明品を装着したことで窮屈になることはない。
また、寝ている間に装着し、起きる前に脱がせてしまえば、当人のプライドを傷つけることがない。
さらに、本体内側に、網状の布でポケットを形成し、場合によっては中にタオルなどを入れておくと、おねしょをした場合に、水分を吸収し、裾から水分が染み出ることを食い止めることができる。
【発明を実施するための最良の形態】
【０００６】  以下、本発明の実施の形態について説明する。
本発明は柔らかな防水素材の布で製作し、ウエスト（２）部分をゴム入りにし、伸縮自在で寝苦しくないスカート状の本体（１）の内側に、着用時に太ももの中間あたりの位置に、長尺状の後部接合弁（３）と前部接合弁（４）とを設ける。
それぞれの先端には接合可能な状態に面ファスナー（８）、面ファスナー（９）などを設ける。
また、本体（１）の内側の後部おしりがあたる部分に、網状のポケット（６）を設ける。
使用時には場合によって、ポケット口（７）よりタオルなどを入れる。
本発明の装着時は、人間（１０）の股下に余裕をもった位置で本体（１）を前後で接合部（５）を介して接合する。
そのため、股より上に本体（１）の裾がめくりあがることを防げる。
【図面の簡単な説明】
【０００７】
【図１】  本発明の斜視図である。
【図２】  本発明のＡ〜Ａ’を断面とした断面図である。
【図３】  本発明のＢ〜Ｂ’を断面とした後部の断面図である。
【図４】  本発明のＢ〜Ｂ’を断面とした前部の断面図である。
【図５】  本発明の人間が装着した実施例の使用状態を表した上面図である。
【符号の説明】
【０００８】    １  本体
２  ウエスト
３  後部接合弁
４  前部接合弁
５  接合部
６  ポケット
７  ポケット口
８  面ファスナー
９  面ファスナー
１０  人間
【図１】
2009074221.tif 000003
【図２】
2009074221.tif 000004
【図３】
2009074221.tif 000005
【図４】
2009074221.tif 000006
【図５】
2009074221.tif 000007